(57)【要約】【課題】  ブレード部を靴の周壁カウンター内に差し込むと、ブレード部表面に沿って使用者の踵部を靴内へ滑り入れやすい携帯用靴べらであり、さらに携帯電話機の保護カバーや携帯マウスパッドなどの用途にも適用可能である携帯用靴べらを提供する。【解決手段】  ブレード部および後方のフックグリップ部を含む細長い平面形状で薄いシート本体と、該シート本体の少なくとも表面に積層した単色または多色の図柄層と、該図柄層上の低摩擦抵抗のスリップ層とからなり、シート本体は多数回復元可能な高い屈曲性を有するシート体である【選択図】図１
0003158454.tif 000002
【実用新案登録請求の範囲】
【請求項１】
柔軟性を有するので衣服のポケットやバッグ類に入れた際に違和感が少ない携帯用靴べらであって、ブレード部および後方のフックグリップ部を含む細長い平面形状で薄いシート本体と、該シート本体の少なくとも表面に積層した単色または多色の図柄層と、該図柄層上の低摩擦抵抗のスリップ層とからなり、シート本体は多数回復元可能な高い屈曲性を有するシート体である靴べら。
【請求項２】
スリップ層は、フッ素系樹脂のディスパージョンを塗布・乾燥させて形成し、転写ラベルにあらかじめ積層するかまたは転写後に塗布する請求項１記載の靴べら。
【請求項３】
シート本体は、厚さが１〜２ｍｍであり、反発弾性３０％以上、圧縮残留歪３.５％以下、繰返し残留歪２.０％以下である圧縮ポリウレタンシートである請求項１記載の靴べら。
【請求項４】
シート本体は、密度５０.０±４.０ｋｇ／ｍ２、硬さ４００±５０Ｎであるポリエーテルウレタンからなる請求項３記載の靴べら。
【請求項５】
シート本体の裏面には、透明、単色または多色の図柄層と、該図柄層の上に積層したスリップ層とを設ける請求項１記載の靴べら。
【請求項６】
シート本体の裏面において、スリップ層の表面に凹凸模様を形成している請求項５記載の靴べら。
【請求項７】
シート本体の裏面に、スクリーン印刷または塗布によって密着性の高いシリコン層を設ける請求項１記載の靴べら。
【請求項８】
柔軟性を有するので衣服のポケットやバッグ類に入れた際に違和感が少ない携帯用靴べらであって、ベースシート上に少なくとも図柄層および接着層をスクリーン印刷した転写ラベルを用い、該転写ラベルをシート本体上に熱転写した後に、スリップラッカーを図柄層または保護層上にスクリーン印刷または塗布することにより、スリップ層および図柄層をシート本体上に形成する携帯用靴べら。
【請求項９】
柔軟性を有するので衣服のポケットやバッグ類に入れた際に違和感が少ない携帯用靴べらであって、ベースシート上に少なくともスリップ層、図柄層および接着層を順次スクリーン印刷した転写ラベルを用い、該転写ラベルをシート本体上に熱転写することにより、スリップ層および図柄層をシート本体上に形成する携帯用靴べら。
【請求項１０】
ベースシートとスリップ層との剥離性を抑制するために、ベースシートの剥離層にシリコン変性アクリル溶液を含んでいる請求項９記載の靴べら。
【請求項１１】
シート本体のフックグリップ部に貫通孔を設け、該貫通孔に穴開き金具を圧着してからリングを介してストラップを取り付けることにより、携帯電話機のマスコットパーツとして使用できる請求項１、８または９記載の靴べら。
【請求項１２】
シート本体が所定の携帯電話機とほぼ同じ平面形状を有し、該シート本体の裏面が密着性を有することにより、携帯電話機の少なくとも片面に着脱可能に貼り付けることにより、携帯電話機の保護カバーとしての機能を有する請求項１、８または９記載の靴べら。
【請求項１３】
シート本体が比較的大きい平面形状を有し、該シート本体の裏面が密着性を有することにより、適宜の部材の表面に着脱可能に密着させることにより、小型のマウスパッドとしての機能を有する請求項１、８または９記載の靴べら。
【考案の詳細な説明】
【技術分野】
【０００１】
本考案は、ブレード部を靴の周壁カウンター内に差し込むと、ブレード部表面に沿って使用者の踵部を靴内へ滑り入れやすい携帯用靴べらに関し、さらに携帯電話機の保護カバーや携帯マウスパッドなどの用途にも適用可能である携帯用靴べらに関する。
【背景技術】
【０００２】
携帯用靴べらは、通常、前方のブレード部と後端部のフックグリップ部とからなる細長い平面形状であり、その素材は硬質のプラスチックまたは金属製が一般的であって、高級品にはなめし加工の皮革製もある。携帯用靴べらは、常に携帯することを要するため、衣服のポケットやバッグ類に入れておくことが多く、これが硬いプラスチックや金属製であると、ポケットやバッグが部分的に突出して不細工で違和感が生じるうえに、ポケットやバッグを損傷することが多い。この種の携帯用靴べらは、下記のように既に非常に数多く出願されている。
【０００３】
例えば、実開平５−６５２７５号、特開平８−２４１１１号および特表２００２−５０３９８５号に開示の靴べらは、いずれも携帯可能なシート状であるけれども、実開平５−６５２７５号は繊維強化熱可塑性樹脂製シートであり、且つ特開平８−２４１１１号と特表２００２−５０３９８５号は印刷可能なプラスチック、金属製などのカードである。これらの素材は、弾性には富んでいても柔軟性を欠き、ポケットやバッグ類に入れるとこれらを変形してしまい、保管時にかなりの違和感が生じる。
【０００４】
一方、実開平６−９５７８号および実用新案登録第３１５４０７２号は、いずれも皮革製であるけれども、前者では、表示プレートを内部に挿入するために２枚合わせであり、後者は足当て部と位置固定部の２枚重ねである。それ故に、比較的柔軟性のある皮革製であっても衣服のポケットやバッグ類に入れた際に違和感が多少とも生じ、皮革の２枚合わせであるので高価になってしまう。皮革はなめし加工をすると、皮革表面に艶が出るけれども、その表面が特別滑りやすくなるわけではない。
【先行技術文献】
【特許文献】
【０００５】
【特許文献１】実開平５−６５２７５号明細書
【特許文献２】実開平６−９５７８号明細書
【特許文献３】実開平８−２４１１１号公報
【特許文献４】実用新案登録第３１５４０７２号公報
【特許文献５】特表２００２−５０３９８５号公報
【考案の概要】
【考案が解決しようとする課題】
【０００６】
従来の携帯用靴べらは、殆ど無地で実用本位であるためにデザイン的な妙味を欠き、一般に高齢者が使用することが多くなり、青年や女性が持っていることは非常に少ない。実開平５−６５２７５号、特開平８−２４１１１号や特表２００２−５０３９８５号に開示のような薄板状の硬いシート材は、素材表面の滑り性が特に高くないうえに、仮に素材表面に図柄模様を印刷することができても、使用者の踵部表面との接触の繰り返しなどで経時的に図柄模様が摩滅してしまう。一方、実開平６−９５７８号や特表２００２−５０３９８５号のような皮革製であると、皮革表面に多色模様を施すのは困難で高価になりやすく、使用時に皮革が屈曲を繰り返すことで模様の剥落が発生する。
【０００７】
また、携帯用靴べらは、使用者の足を靴に入れやすくするだけの単機能であると、ごく一部の人を除いてわざわざ携帯する必要性を欠いている。この点に関し、実開平６−９５７８号は靴べらのほかに吊り下げ名札などとしても使用でき、特開平８−２４１１１号は、靴べらを靴に挟んでクリップとして使用すると、靴の履き間違え防止用の目印として利用できる。これらの複合的な機能の実体は、多用途が可能なだけでデザイン的に洗練されていなかったり、用途が特殊で一般性を欠いているものが殆どである。
【０００８】
本考案は、従来の携帯用靴べらに関する前記の問題点を改善するために提案されたものであり、平滑なブレード部表面に沿って使用者の踵部を靴内へ入れやすい携帯用靴べらを提供することを目的としている。本考案の他の目的は、薄いシート本体が多数回復元可能な弾力性を有して柔軟であるので、衣服のポケットやバッグ類に入れた際に違和感が殆ど生じない携帯用靴べらを提供することである。本考案の他の目的は、少なくとも表面に多彩な図柄模様を施すことで若年層にまで使用者層を拡大させる携帯用靴べらを提供することである。本考案の別の目的は、携帯電話機の保護カバーまたは携帯マウスパッドなどの用途に適用可能な携帯用靴べらを提供することである。
【課題を解決するための手段】
【０００９】
本考案に係る携帯用靴べらは、柔軟性を有するので衣服のポケットやバッグ類に入れた際に違和感が少ないことが特徴である。本考案の携帯用靴べらは、ブレード部および後方のフックグリップ部を含む細長い平面形状で薄いシート本体と、該シート本体の少なくとも表面に積層した単色または多色の図柄層と、該図柄層の上に積層した低摩擦抵抗のスリップ層とからなり、シート本体は多数回復元可能な屈曲性を有するシート体である。
【００１０】
本考案の携帯用靴べらにおいて、スリップ層は、フッ素系樹脂のディスパージョンを塗布・乾燥させて形成し、転写ラベルにあらかじめ積層するかまたは転写後に塗布する。シート本体は、厚さ１〜２ｍｍであり、反発弾性３０％以上、圧縮残留歪３.５％以下、繰返し残留歪２.０％以下である圧縮ポリウレタンシートであると好ましい。さらに好ましくは、このシート本体は、密度５０.０±４.０ｋｇ／ｍ２、硬さ４００±５０Ｎであるポリエーテルウレタンからなる。
【００１１】
本考案の携帯用靴べらにおいて、シート本体の裏面には、透明、単色または多色の図柄層と、該図柄層の上に積層したスリップ層とを設けると好ましい。このシート本体の裏面には、スリップ層の表面に凹凸模様を形成してもよい。このシート本体の裏面には、スクリーン印刷または塗布によって密着性の高いシリコン層を設けることも可能である。
【００１２】
本考案の携帯用靴べらを製造するには、ベースシート上に少なくとも図柄層および接着層をスクリーン印刷した転写ラベルを用いる。この転写ラベルをシート本体上に熱転写した後に、スリップラッカーを図柄層または保護層上にスクリーン印刷または塗布することにより、スリップ層および図柄層をシート本体上に形成すればよい。
【００１３】
本考案の携帯用靴べらを製造するには、ベースシート上に少なくともスリップ層、図柄層および接着層を順次スクリーン印刷した転写ラベルを用いてもよい。この転写ラベルをシート本体上に熱転写することにより、スリップ層および図柄層をシート本体上に形成する。好ましくは、ベースシートとスリップ層との剥離性を抑制するために、ベースシートの剥離層にシリコン変性アクリル溶液を含んでいると好ましい。
【００１４】
本考案の携帯用靴べらの一用途として、シート本体のフックグリップ部に貫通孔を設け、該貫通孔に鳩目を圧着してリングを介してストラップを取り付けることにより、携帯電話機のマスコットパーツとして使用できる。また、シート本体が所定の携帯電話機とほぼ同じ平面形状を有し、該携帯電話機の少なくとも片面に着脱可能に貼り付けることにより、携帯電話機の保護カバーとしての機能を有する。本考案の別の用途として、シート本体が比較的大きい平面形状を有し、該シート本体の裏面が密着性を有することにより、適宜の部材の表面に着脱可能に密着させることにより、小型のマウスパッドとしての機能を有する。
【考案の効果】
【００１５】
本考案に係る携帯用靴べらは、シート本体の少なくとも表面が平滑であるから、該靴べらのブレード部を靴の周壁カウンター内に差し込むと、平滑なブレード部表面に沿って使用者の踵部を靴内へ滑り入れやすい。この際に、この携帯用靴べらは一般に細長い平面形状であるから、該靴べらの後方部をフックグリップ部として手に持って支えると、使用者の足を靴の中へ入れやすくなる。
【００１６】
本考案の携帯用靴べらは、その本来の用途からある程度の大きさの平面形状を有するけれども、薄いシート本体が多数回復元可能な弾力性を有して柔軟であり、携帯電話機のマスコットパーツなどとして衣服のポケットやバッグ類に入れた際に、柔軟性が高いのでこれらの内部形状に沿って容易に変形でき、保管時に違和感が生じない。この携帯用靴べらは、金属や硬質プラスチックのような高い弾性を有していなくても、柔軟性が高く且つ多数回復元可能な弾力性を有するので長期間使用することが可能である。
【００１７】
本考案の携帯用靴べらは、少なくとも表面に多彩な図柄模様を施こすことができ、例えば、著名なサーフボードやスノーボートの図柄と平面形状を一致させたり、プロ野球やサッカーチームのマークなどを表面に転写することにより、その使用者層を女性や若年層にまで拡大できる可能性がある。この携帯用靴べらでは、スポンサー企業名を転写したり凹凸模様で形成することにより、販促商品または各種商品のおまけとして頒布することも好ましい。
【００１８】
本考案の携帯用靴べらは、単にポケットに入れておくだけでなく、ストラップを取り付けて携帯電話機のマスコットパーツにしても、そのままビジネスバッグやリュックサックに取り付けてもよい。また、この携帯用靴べらは表面が平滑であるので、その裏面の密着性を高くすれば、靴べらとしての用途のほかに、携帯電話機とほぼ同じ平面形状に裁断して該電話機に着脱可能に貼り付け、携帯電話機の保護カバーとして使用できる。その平面形状を若干大きくすると、旅先でノートパソコンを使用する際に、ビジネスバッグなどの表面に貼り付けて小型のマウスパッドとしても使用可能である。
【図面の簡単な説明】
【００１９】
【図１】本考案に係る携帯用靴べらの一例を示す斜視図である。
【図２】本考案の携帯用靴べらの一例を示す概略断面図である。
【図３】シート本体の表面に転写する熱転写ラベルの一例を示す拡大概略断面図である。
【図４】シート本体の表面に転写する熱転写ラベルの他の例を示す拡大概略断面図である。
【図５】シート本体の表面に転写する熱転写ラベルの別の例を示す拡大概略断面図である。
【図６】シート本体の裏面に転写する熱転写ラベルの一例を部分的に示す拡大概略断面図である。
【図７】シート本体の裏面に転写する熱転写ラベルの他の例を示す拡大概略断面図である。
【図８】シート本体の裏面に転写する熱転写ラベルの別の例を示す拡大概略断面図である。
【図９】本考案に係る携帯用靴べらの他の使用例を示す平面図である。
【図１０】本考案に係る携帯用靴べらの別の使用例を示す平面図である。
【図１１】本考案に係る携帯用靴べらのさらに別の使用例を示す斜視図である。
【考案を実施するための形態】
【００２０】
本考案を図面によって説明すると、図１で本考案に係る携帯用靴べらの一例を示し、その断面形状の一例を図２に示している。本考案の靴べら１は、表面に美麗な図柄模様２を施した細長い平面形状を有するシート本体３で構成する。シート本体３において、通常、その前方部は靴に差し込むブレード部４となり、その後方部は差し込み時に手に握って支えるフックグリップ部５となるが、両部分が明確に区画されているわけではない。
【００２１】
シート本体３は、衣服のポケットやバッグ類に入れた際に違和感が少ない柔軟性を有する。シート本体３の平面形状は、通常の市販靴べらのそれと同様であっても、図１や図９に示すような面取りした細長い矩形状や楕円形でも、図柄模様２に応じた特殊な細長い平面形状でもよい。例えば、スノーボードの輪郭と相似の中くびれ平面形状、サーフボードの輪郭と相似の平面形状、携帯電話機の輪郭とほぼ同一の平面形状（図１０参照）、小型マウスパッドと兼用可能なやや広幅の平面形状（図１１参照）などがある。
【００２２】
シート本体３は、柔軟性とともに多数回復元可能な屈曲性を有し、靴べら素材として使用時に皺が発生せずに適度な腰の強さがあることを要し、しかも裁断面が美しくてほつれないことが望ましい。シート本体３の素材には、発泡プラスチック、熱可塑性プラスチック、繊維フェルトなどが例示でき、好ましくはポリウレタンシートまたはフェルトシートである。
【００２３】
シート本体３として好適な圧縮ポリウレタンシートは、靴に差し込みやすいように厚さが１〜２ｍｍであることが望ましく、ＪＩＳ・Ｋ６４００に基づいて反発弾性が３０％以上、圧縮残留歪が３.５％以下および繰返し残留歪が２.０％以下であると好ましい。この圧縮ポリウレタンシートは、ポリエーテルウレタンからなり、ＪＩＳ・Ｋ７２２２に基づいて密度５０.０±４.０ｋｇ／ｍ２およびＪＩＳ・Ｋ６４００に基づいて硬さ４００±５０Ｎであるポリエーテルウレタンである。この圧縮ポリウレタンシートは高硬度であり、ＪＩＳ・Ｋ６４００に基づいて引張り強さ１３０ｋＰａ以上、伸び７０％以上である。
【００２４】
シート本体３の表面には、転写ラベルの熱転写によって図柄模様２を施すことが普通である。図柄模様２として、図２のように直接または図３に示すようにバックアップ層７や中間層８を介して単色または多色の図柄層１０を形成し、さらに所望に応じて該図柄層の上に透明または半透明の保護層１２を設けてもよい。図柄層１０または保護層１２の上には、低摩擦抵抗のスリップ層１４を積層する。スリップ層１４は、シート本体３の表面と比べて平滑性が高いことを要し、使用者の踵部がスリップ層１４の上を滑って靴内へ入りやすくする役目がある。
【００２５】
スリップ層１４は、例えば、ＰＴＦＥやＰＦＡなどのフッ素系樹脂のディスパージョンを塗布・乾燥させて形成すればよい。スリップ層１４は、図３に示す転写ラベル１６を用いる場合のように、転写後にスリップラッカーとしてスクリーン印刷や表面塗布で層形成しても、図４に示すように転写ラベル１８にあらかじめ積層しておいてもよい。転写後の層形成では、スクリーン印刷で薄く均一に設けたり、スプレーや刷毛塗りなどで形成してもよい。一方、スリップ層１４を転写ラベル１８に積層しておく時には、通常、該スリップ層はスクリーン印刷で薄く積層するけれども、転写前の剥離を防ぐためにベースシートの剥離層２０（図４）の剥離性を抑制することを要する。
【００２６】
例えば、量産対応の転写ラベル１６（図３）では、ベースシート２１上に少なくとも図柄層１０および接着層２２をスクリーン印刷し、該転写ラベルをシート本体３上に熱転写した後に、スリップラッカーを図柄層１０または保護層１２上に塗布することにより、スリップ層１４および図柄層１０をシート本体３上に形成する。ベースシート２１は、例えば、ルミラーＳ１０（商品名、東レ製）、東洋紡エステルフィルムＥ５０００（商品名）、エンブレット  ＳＡ（商品名、ユニチカ製）などのポリエステルフィルムで構成する。一方、転写ラベル１８（図４）では、ベースシート２１上に少なくともスリップ層１４、図柄層１０および接着層２２を順次スクリーン印刷し、該転写ラベルをシート本体３上に熱転写することにより、スリップ層１４および図柄層１０をシート本体３上に形成する。
【００２７】
図柄層１０は、美麗な図柄模様２を構成する模様、絵表示、文字、記号またはこれらの組み合わせであり、通常、スクリーン印刷やオフセット印刷による単色または多色刷りである。図柄層１０の厚みは例えば８〜４０μｍ程度であればよく、ポリウレタン系樹脂またはこれと同等のポリエステル系樹脂やポリアミド系樹脂などの軟質樹脂からなり、該樹脂は熱架橋性や経時架橋性のような反応性樹脂であると好ましい。ポリウレタン系樹脂は、一般に密度が小さいために伸び、耐磨耗性、反発弾性および圧縮疲労強さが優れており、繊維製品における使用時に層剥離や亀裂の発生が少ない。
【００２８】
保護層１２は、比較的硬い透明または半透明の樹脂皮膜からなり、図柄層１０の平面形状よりもわずかに大きい平面形状である。保護層１２は、摩擦、衝撃などの物理的および化学的影響から図柄層１０を保護する。保護層１２は、厚みが３〜１０μｍであり、ポリアミド系、ポリエステル系、ポリウレタン系、アクリル系などの樹脂またはこれらを組み合わせ配合した樹脂からなり、一般に架橋樹脂を用いる。
【００２９】
バックアップ層７は、主として白色または黒色であり、図柄層１０の全体に必要であって、図柄模様２の一部を構成することもある。バックアップ層７の厚みは５〜３０μｍである。中間層８は、図柄層１０の皮膜を補強し、その伸縮性および接着力を補う。中間層８の厚みは１０〜３０μｍである。バックアップ層７および中間層８は、図柄層１０で用いる樹脂と同様のものを使用する。
【００３０】
接着層２２は、中間層８よりも僅かに大きい平面形状を有し、基本的にシート本体３の材質に適合したホットメルト樹脂から選択し、その樹脂は中間層８と同様のものが好ましい。接着層２２は、シート本体３が柔軟であるので熱可塑性ポリウレタン系樹脂を含有し、接着性を高めるために熱可塑性ポリアミド樹脂を含むと好ましい。一般に、接着層２２の厚みは１０〜２００μｍである。
【００３１】
図柄模様２は、図５に示すような小ロット対応の転写ラベル３０の熱転写によって施してもよい。転写ラベル３０は、公知のインクジェットプリンタによってデジタル多色模様を形成し、この場合には、デジタル図柄層２３を接着層２４上に直接設ければよい。接着層２４は、接着剤と白色顔料を含み、剥離処理したキャリアシート２６の上に積層する。接着層２４の上に、インクジェットプリンタで図柄層２３を形成した後に、粘着性のリタック紙２８を貼り付ける。転写時には、転写ラベル３０からキャリアシート２６を剥がし、接着層２４をシート本体３と重合して図柄層２３熱転写してから、リタック紙２８を剥離する。
【００３２】
シート本体３では、その裏面に関して、前述した表面処理と同様に美麗な図柄模様を施しても、図２に例示するように、透明、単色または多色の図柄層（図示しない）の上にスリップ層３２および凹凸模様３４を形成してもよい。スリップ層３２は、前記のようにラベル転写後にスクリーン印刷または表面塗布によって施しても、図６に示すように転写ラベル３６にあらかじめ積層しておいてもよい。
【００３３】
シート本体３の裏面に熱転写する標準タイプの転写ラベル３６では、図６に示すように、単色または多色刷りの図柄層３８のほかに、例えば、スリップ層３２、保護層４０、バックアップ層４２、中間層４４、接着層４６を積層している。ベースシート４８上には、凹凸層５０を印刷してから剥離層５２を積層する。転写ラベル３６をシート本体３の裏面に熱転写すると、その時に凹凸層５０が発泡して盛り上がり、水玉や梨地などの顕著な凹凸模様３４（図２）がシート本体３の裏面に形成される。
【００３４】
シート本体３の裏面に比較的安価な単色模様を施すには、例えば、図７に示す転写ラベル５４を用いる。転写ラベル５４では、剥離層５２を積層したベースシート４８上に、スリップ層３２、保護層４０、図柄層３８、バックアップ層４２、中間層４４、接着層４６をそれぞれ積層する。また、透明模様を安価に施すには、例えば、図８に示す転写ラベル５６を用いる。転写ラベル５６では、剥離層５２を積層したベースシート４８上に、スリップ層３２、保護層４０、中間層４４、接着層４６をそれぞれ積層する。
【００３５】
携帯用靴べら１は、その後方のフックグリップ部５に貫通孔５０（図１）を設け、該貫通孔にチェーンや紐（図示しない）を通して吊り下げ可能とし、ビジネスバッグやリュックサックに取り付けてもよい。靴べら１では、ブレード部４を靴の周壁カウンター内に差し込む際に、そのチェーンや紐を持つと靴べら１のフックグリップ機能が良化する。靴べら１は、ポケットに入れておいても、図９のように鳩目５２にリング５４を通し、該リングを介してストラップ５６を取り付け、携帯電話機のマスコットパーツにしてもよい。靴べら１には、少なくとも表面に多彩な図柄模様２が施されている。この図柄模様として、例えば、著名なサーフボードやスノーボートの図柄、プロ野球やサッカーチームのマーク、絵柄として著名絵画、国旗（図１参照）、家紋（図９、図１１参照）、地図、星座などが例示でき、宣伝資料や販促商品として企業名やマークを印刷してもよい。
【００３６】
また、シート本体の裏面において、図１０に例示するように、プリント加工によって密着性の高いシリコン層５８を設けると、靴べら６４ではシート本体６０に関して表面だけが平滑である。シート本体６０の裏面の密着性が高くなれば、靴べらとしての用途に加えて、携帯電話機６２の保護カバーとしても使用でき，この際にはシート本体６０を携帯電話機６２とほぼ同じ平面形状に裁断して該電話機に着脱可能に貼り付ける。この靴べら６４は、保護カバーとしてカメラ付き携帯電話機６２のレンズ（図示しない）を保護できる。この靴べらは、シリコン層がない場合に面ファスナーを貼着することで着脱可能にしても、２枚１組で用いて携帯電話機６２の両面を保護してもよい。
【００３７】
シート本体６０の裏面が密着性の高いシリコン層５８である場合に、図１１に示すようにシート本体６０の平面形状を通常よりも大きく、特に横幅を広くすると、小型のマウスパッドとしても使用可能である。この靴べら６６は、旅先でノートパソコンを使用する際に、ビジネスバッグなどの表面に着脱可能に貼り付けると、そこでマウス（図示しない）を正確にコントロールできる。靴べら６６がマウスパッドを兼ねるならば、吊り下げ金具６８はシート本体６０の縁部に固着する。
【実施例】
【００３８】
次に、本考案を実施例に基づいて説明する。靴べら１を構成するシート本体３は、厚さが１.３ｍｍであるポリエーテルウレタン１００％の圧縮ポリウレタン（株式会社ファインモールド製）である。シート本体の入荷サイズは５００×９００ｍｍであり、３等分（３００×５００ｍｍ）に裁断して使用する。
【００３９】
図３に示す量産タイプの転写ラベル１６を製造するために、厚み１００μｍのポリエステルフィルム（商品名：ルミラーＳ１０）を用い、該フィルムの表面の全体にアクリル離型剤をコーティングしてベースシート２１を得る。次に、ポリエステル３００メッシュのスクリーン版を用いて、細長い矩形状平面の透明保護層１２をスクリーン印刷する。次に、図柄層１０として、それぞれ１８０メッシュのスクリーン版によって赤、青インクで国旗と類似の図柄模様２を印刷し、さらに白色のバックアップ層７および中間層８をスクリーン印刷する。最後に、周囲が０．５ｍｍ大きいスクリーン版によって接着層２２をスクリーン印刷して乾燥する。
【００４０】
得た転写ラベル１６を裏返してシート本体３の上に載置し、熱プレス機によって温度１３０〜１６０℃、圧力０.５〜１.０ｋｇｓ／ｃｍ２で１０〜２０秒間熱転写した。転写後に、転写表面にスリップラッカーをスクリーン印刷し、スリップ層１４を形成すると、３色の国旗状の図柄模様２を３組有する平滑な表面のシート本体３を得る。
【００４１】
シート本体３の裏面について、図６に示す凹凸調の標準転写ラベル３６を製造するために、厚さ１００μｍのポリエステルフィルムのベースシート４８を用いる。ベースシート４８上に、７０メッシュのスクリーン版によって凹凸層５０を印刷する。凹凸層５０用の印刷インクは、マイクロカプセルの発泡粉末を液状ポリウレタン系樹脂と配合して印刷する。凹凸層５０の平面形状は水玉模様である。凹凸層５０を乾燥した後に、２００メッシュのスクリーン版によって厚さ４μｍの艶出し処理した離型層５２を印刷して乾燥した。離型層５２は、例えば、イソシアネート樹脂、シリカ、水酸基含有シリコン変性アクリル溶液、脂肪酸アマイドワックスをプレ膨潤させたペースト状の非水系塗料用ダレ・沈降防止剤からなり、通常の剥離層に比べて接着性が高い。
【００４２】
離型層５２の次に、スリップ層３２をスクリーン印刷する。スリップ層３２は、例えば、フッ素系樹脂、イソシアネート樹脂、シリカ、脂肪酸アマイドワックスをプレ膨潤させたペースト状の非水系塗料用ダレ・沈降防止剤からなる。ついで、保護層４０および単色の図柄層３８を１８０メッシュのスクリーン版によって印刷し、厚さ８μｍの図柄層３８を得る。単色の図柄層３８は、例えば、銀色顔料、ポリウレタン系樹脂、ジイソシアネート樹脂、シリカからなる。
【００４３】
図柄層３８を乾燥した後に、白色のバックアップ層４２を１８０メッシュのスクリーン版によって印刷する。２回印刷で厚さ１３μｍのバックアップ層４２を得る。白色のバックアップ層４２は、例えば、二酸化チタン、ポリウレタン系樹脂、ポリエステル系樹脂、ジイソシアネート樹脂、シリカからなる。バックアップ層４２を乾燥した後に、中間層４４を７０メッシュのスクリーン版によって印刷する。厚さ１５μｍの中間層４４は、例えば、ポリウレタン系樹脂、ポリエステル系樹脂、ジイソシアネート樹脂からなる。
【００４４】
中間層４４を乾燥した後に、接着層４６を７０メッシュのスクリーン版によって印刷する。接着層４６は、２回印刷で厚さ９６μｍである。接着層４６の樹脂ペーストは、例えば、熱可塑性ポリウレタン系樹脂、熱可塑性ポリアミド系樹脂からなる。
【００４５】
全てのスクリーン印刷の終了後にさらに乾燥し転写ラベル３６を得る。接着層４６の架橋がほぼ完了した後に、転写ラベル３６を裏返し、シート本体３の裏面の上に載置し、熱板式プレス機によって温度１５０℃、圧力０.５〜１.０ｋｇ／ｃｍ２で１０秒間熱転写する。熱転写の際に、凹凸層５０が発泡して盛り上がり、シート本体３の裏面に顕著な凹凸模様３４が形成され、該転写ラベルが冷えた後にベースシート４８を凹凸層５０とともにシート本体３の裏面から剥離する。この結果、シート本体３の裏面は、反転した水玉の凹凸模様３４が銀色の光沢を有し、しかも平滑性が高い。
【００４６】
得た両面模様のシート本体３から、３００×５００ｍｍである面取りした細長い矩形状平面の靴べら１を作製した。靴べら１では、図２に示すように、図柄模様２を有する平滑な表面と、水玉の凹凸模様３４を有する平滑な裏面とからなり、携帯用靴べらとして好適である。
【符号の説明】
【００４７】
１    靴べら
３    シート本体
４    ブレード部
５    フックグリップ部
７    バックアップ層
８    中間層
１０     図柄層
１２    保護層
１４    スリップ層
１６，１８    転写ラベル
２０    剥離層
２１    ベースシート
２２    接着層
【図１】
0003158454.tif 000003
【図２】
0003158454.tif 000004
【図３】
0003158454.tif 000005
【図４】
0003158454.tif 000006
【図５】
0003158454.tif 000007
【図６】
0003158454.tif 000008
【図７】
0003158454.tif 000009
【図８】
0003158454.tif 000010
【図９】
0003158454.tif 000011
【図１０】
0003158454.tif 000012
【図１１】
0003158454.tif 000013
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
柔軟性を有するので衣服のポケットやバッグ類に入れた際に違和感が少ない携帯用靴べらであって、ブレード部および後方のフックグリップ部を含む細長い平面形状で薄いシート本体と、該シート本体の少なくとも表面に積層した単色または多色の図柄層と、該図柄層上の低摩擦抵抗のスリップ層とからなり、シート本体は多数回復元可能な高い屈曲性を有するシート体である靴べら。
【請求項２】
スリップ層は、フッ素系樹脂のディスパージョンを塗布・乾燥させて形成し、転写ラベルにあらかじめ積層するかまたは転写後に塗布する請求項１記載の靴べら。
【請求項３】
シート本体は、厚さが１〜２ｍｍであり、反発弾性３０％以上、圧縮残留歪３.５％以下、繰返し残留歪２.０％以下である圧縮ポリウレタンシートである請求項１記載の靴べら。
【請求項４】
シート本体は、密度５０.０±４.０ｋｇ／ｍ２、硬さ４００±５０Ｎであるポリエーテルウレタンからなる請求項３記載の靴べら。
【請求項５】
シート本体の裏面には、透明、単色または多色の図柄層と、該図柄層の上に積層したスリップ層とを設ける請求項１記載の靴べら。
【請求項６】
シート本体の裏面において、スリップ層の表面に凹凸模様を形成している請求項５記載の靴べら。
【請求項７】
シート本体の裏面に、スクリーン印刷または塗布によって密着性の高いシリコン層を設ける請求項１記載の靴べら。
【請求項８】
柔軟性を有するので衣服のポケットやバッグ類に入れた際に違和感が少ない携帯用靴べらであって、ベースシート上に少なくとも図柄層および接着層をスクリーン印刷した転写ラベルを用い、該転写ラベルをシート本体上に熱転写した後に、スリップラッカーを図柄層または保護層上にスクリーン印刷または塗布することにより、スリップ層および図柄層をシート本体上に形成する携帯用靴べら。
【請求項９】
柔軟性を有するので衣服のポケットやバッグ類に入れた際に違和感が少ない携帯用靴べらであって、ベースシート上に少なくともスリップ層、図柄層および接着層を順次スクリーン印刷した転写ラベルを用い、該転写ラベルをシート本体上に熱転写することにより、スリップ層および図柄層をシート本体上に形成する携帯用靴べら。
【請求項１０】
ベースシートとスリップ層との剥離性を抑制するために、ベースシートの剥離層にシリコン変性アクリル溶液を含んでいる請求項９記載の靴べら。
【請求項１１】
シート本体のフックグリップ部に貫通孔を設け、該貫通孔に穴開き金具を圧着してからリングを介してストラップを取り付けることにより、携帯電話機のマスコットパーツとして使用できる請求項１、８または９記載の靴べら。
【請求項１２】
シート本体が個々の携帯電話機と同じ平面形状を有し、該シート本体の裏面が密着性を有することにより、携帯電話機の少なくとも片面に着脱可能に貼り付けることにより
、携帯電話機の保護カバーとしての機能を有する請求項１、８または９記載の靴べら。
【請求項１３】
シート本体が幅広の平面形状を有し、該シート本体の裏面が密着性を有することにより、適宜の部材の表面に着脱可能に密着させることにより、小型のマウスパッドとしての機能を有する請求項１、８または９記載の靴べら。
【手続補正２】
【補正対象書類名】図面
【補正対象項目名】図１
【補正方法】変更
【補正の内容】
【図１】
0003158454.tif 000014